(57)【要約】【課題】ヘアキャッチャーの周縁部の当接面と排水口部の内壁面との間の密封性を容易に高めて、排水口部を流れる排水が、ヘアキャッチャーの周縁部と排水口部との間に生じるクリアランスを通過することがほとんどなく、排水に含まれる毛髪やゴミなどが、確実に目皿部において捕捉されるヘアキャッチャーを提供すること。【解決手段】排水口部に着脱自在に設けられ、排水孔を備える目皿部１０ａからなるヘアキャッチャー１０であって、目皿部１０ａの周縁部１０ｂにおける少なくとも排水口部の内壁面との当接面に、軟質材１１が設けられている。【選択図】図２
2007177542.tif 000002
【特許請求の範囲】
【請求項１】
排水口部に着脱自在に設けられ、排水孔を備える目皿部からなるヘアキャッチャーであって、
前記目皿部の周縁部における少なくとも前記排水口部の内壁面との当接面に、軟質材が設けられていることを特徴とするヘアキャッチャー。
【請求項２】
前記軟質材は、縦断面略コ字形に形成された環状部材からなり、前記目皿部の周縁部に外方から嵌合可能に構成されていることを特徴とする請求項１に記載のヘアキャッチャー。
【請求項３】
前記軟質材の周側面に、外側方に向けて突出する肉薄のヒレ部が環状に形成されていることを特徴とする請求項１または２に記載のヘアキャッチャー。
【請求項４】
前記ヘアキャッチャーの上方に、前記ヘアキャッチャーを被覆する上蓋が設けられており、前記上蓋の下面と前記目皿部の周縁部の上面とが、近接若しくは当接していることを特徴とする請求項１ないし３のいずれかに記載のヘアキャッチャー。
【請求項５】
前記軟質材の上面と前記上蓋の下面との間に、前記上蓋の位置決め手段が設けられていることを特徴とする請求項４に記載のヘアキャッチャー。
【請求項６】
前記位置決め手段は、前記軟質材の上面に形成された凸部と、前記上蓋の下面に形成された前記凸部が嵌合自在な凹部と、からなり、該嵌合により取外し可能に形成されていることを特徴とする請求項５に記載のヘアキャッチャー。
【発明の詳細な説明】
【技術分野】
【０００１】
本発明は、排水口部に着脱自在に設けられ、排水孔を備える目皿部からなるヘアキャッチャーに関する。
【背景技術】
【０００２】
従来のヘアキャッチャーは、例えば浴室の床面などに設けられる排水口部に配置されるものであって、排水孔を備える目皿部の周囲に形成される周縁部が、排水口部の内壁面の周方向に沿って当接している（例えば、特許文献１参照）。
【０００３】
【特許文献１】特開２００５−１４６５４２号公報（第２頁、第１図）
【発明の開示】
【発明が解決しようとする課題】
【０００４】
しかしながら、特許文献１にあっては、排水口部に配置されたヘアキャッチャーの周縁部当接面と、該当接面と当接する排水口部の内壁面との間にクリアランス（間隙）が生じる場合があり、このような場合に、浴室の床面など排水面を排水口部に向かって流れる排水が、ヘアキャッチャーの排水孔を備える目皿部を通過せずに、前述した周縁部と排水口部とのクリアランスを通過してしまい、排水に含まれる毛髪やゴミなどが、目皿部において捕捉されずに排水管側に流下して、排水管が詰まる原因となっていた。
【０００５】
また、前述のようなヘアキャッチャーの周縁部と排水口部との間に生じるクリアランス（間隙）を塞ぐために、ヘアキャッチャーを排水口部に螺挿する場合もあるが、このような場合には、目皿部に捕捉された毛髪やゴミなどを除去するために、螺挿したヘアキャッチャーを回動して取外す手間を要していた。
【０００６】
本発明は、このような問題点に着目してなされたもので、ヘアキャッチャーの周縁部の当接面と排水口部の内壁面との間の密封性を容易に高めて、排水口部を流れる排水が、ヘアキャッチャーの周縁部と排水口部との間に生じるクリアランス（間隙）を通過することがほとんどなく、排水に含まれる毛髪やゴミなどが、確実に目皿部において捕捉されるヘアキャッチャーを提供することを目的とする。
【課題を解決するための手段】
【０００７】
前記課題を解決するために、本発明の請求項１に記載のヘアキャッチャーは、
排水口部に着脱自在に設けられ、排水孔を備える目皿部からなるヘアキャッチャーであって、
前記目皿部の周縁部における少なくとも前記排水口部の内壁面との当接面に、軟質材が設けられていることを特徴としている。
この特徴によれば、軟質材が、周縁部の当接面と排水口部の内壁面との間になじんで自在に変形するため、ヘアキャッチャーを排水口部に螺挿することを要さず、周縁部の当接面と排水口部の内壁面との間の密封性が容易に高まり、排水口部を流れる排水が、周縁部の当接面と排水口部の内壁面との間に生じるクリアランス（間隙）を通過することがほとんどなく、目皿部の排水孔を通過して流下するため、排水に含まれる毛髪やゴミなどが、確実に目皿部において捕捉される。
【０００８】
本発明の請求項２に記載のヘアキャッチャーは、請求項１に記載のヘアキャッチャーであって、
前記軟質材は、縦断面略コ字形に形成された環状部材からなり、前記目皿部の周縁部に外方から嵌合可能に構成されていることを特徴としている。
この特徴によれば、周方向に沿って縦断面略コ字形に形成されている軟質材を、周縁部を上下面及び周側面から被覆するように周縁部に嵌め込むことで、特段の接着手段を要さずに周縁部に簡単に取付けることができ、軟質材にて覆われる周縁部の上下面及び周側面のいずれかを排水口部の内壁面と当接させることで、周縁部の当接面と排水口部の内壁面とを密封できる。
【０００９】
本発明の請求項３に記載のヘアキャッチャーは、請求項１または２に記載のヘアキャッチャーであって、
前記軟質材の周側面に、外側方に向けて突出する肉薄のヒレ部が環状に形成されていることを特徴としている。
この特徴によれば、軟質材に形成される肉薄のヒレ部が、排水口部の内壁面に即してなじんで変形しながら当接するため、軟質材による密封性がさらに高まる。
【００１０】
本発明の請求項４に記載のヘアキャッチャーは、請求項１ないし３のいずれかに記載のヘアキャッチャーであって、
前記ヘアキャッチャーの上方に、前記ヘアキャッチャーを被覆する上蓋が設けられており、前記上蓋の下面と前記目皿部の周縁部の上面とが、近接若しくは当接していることを特徴としている。
この特徴によれば、ヘアキャッチャーの上方に設けられる上蓋の下面と、周縁部の上面とが、近接若しくは当接しているため、排水の逆流などによりヘアキャッチャーの周縁部が浮き上がることを防止でき、周縁部に設けられた軟質材が、周縁部の当接面と排水口部の内壁面との間の密封状態を維持できる。
【００１１】
本発明の請求項５に記載のヘアキャッチャーは、請求項４に記載のヘアキャッチャーであって、
前記軟質材の上面と前記上蓋の下面との間に、前記上蓋の位置決め手段が設けられていることを特徴としている。
この特徴によれば、上蓋の位置決め手段により、上蓋の位置ずれが防止できるため、該位置ずれによる排水口部における閉塞箇所の発生を防ぐことができ、また上蓋の上面を踏んだ際に上蓋の位置ずれが生じ、人が転倒することを防ぐことができる。
【００１２】
本発明の請求項６に記載のヘアキャッチャーは、請求項５に記載のヘアキャッチャーであって、
前記位置決め手段は、前記軟質材の上面に形成された凸部と、前記上蓋の下面に形成された前記凸部が嵌合自在な凹部と、からなり、該嵌合により取外し可能に形成されていることを特徴としている。
この特徴によれば、軟質材に形成された凸部と、上蓋に形成された凹部との嵌合により、上蓋とヘアキャッチャーとを容易に取外しでき、該取外して、ヘアキャッチャーの洗浄等できるため、ヘアキャッチャーに特段の取っ手を設けることを要しないばかりか、軟質材にて連結されており、目皿部において位置決め手段を設けることを要せず、目皿部の略全面を利用して排水できるため、排水効率を維持できる。
【発明を実施するための最良の形態】
【００１３】
本発明に係るヘアキャッチャーを実施するための最良の形態を実施例に基づいて以下に説明する。
【実施例】
【００１４】
本発明の実施例を図面に基づいて説明すると、先ず図1は、実施例におけるヘアキャッチャーを設置した排水口部周りを示す断面図である。図２（ａ）は、ヘアキャッチャーを示した平面図であり、図２（ｂ）は、上蓋のＡ―Ａ断面図である。図３（ａ）は、上蓋を示した平面図であり、図３（ｂ）は、上蓋を示した側面図である。図４（ａ）は、図２（ｂ）の一点鎖線囲い部の拡大図であり、図４（ｂ）は、図１の一点鎖線囲い部の拡大図である。
【００１５】
図１に示されるように、本実施例のヘアキャッチャー１０は、排水面としての浴室の床面１に形成される排水口部３を被覆するように配置されており、排水口部３に向かって下向きのテーパ面に形成される床面１を流れる排水は、後述するようにヘアキャッチャー１０を通過して、排水に含まれる毛髪やゴミなどが捕捉された後、排水口部３下方の排水管８側に流下するようになっている。
【００１６】
排水口部３には、床面１よりも一段低い段部が形成され、排水口部３の内壁面としての段部上面３ａにヘアキャッチャー１０が当接して配置されている。尚、内壁面とは排水口部３周囲に形成される面であって、前述した段部上面３ａ及び段部上面３ａから周方向に亘って上方に立設される内周面３ｂを含むものとする。
【００１７】
また、前述した段部の下方には、ヘアキャッチャー１０を通過させた排水を流下させる適所であって、図示しない浴室の浴槽に設けられた排水口と接続され、該浴槽における排水を通過させる排水ホース７の端部が合流する該適所に、公知の排水トラップ６が設けられており、前述のように合流した排水を流下させる排水管８が連通して設けられている。排水トラップ６により、下流の排水管８側の悪臭等が浴室側に進入することを防止している。
【００１８】
尚、排水口部３に設けられるヘアキャッチャー１０より下流側の配管構成については、必ずしも本実施例限られず、例えば、排水ホース７のような他の排水路が形成されていなくてもよいし、特段の排水トラップが設けられていなくてもよい。
【００１９】
図２（ａ）及び図２（ｂ）に示されるように、ヘアキャッチャー１０は、複数の丸孔からなる排水孔を備える目皿部１０ａからなり、目皿部１０ａの周囲に形成され排水口部３と当接する周縁部１０ｂにおける排水口部３の内周面３ｂとの当接面である下面と、周側面及び上面に沿って軟質材１１が設けられている。また、目皿部１０ａは平面視中央部が上方に向かって凸状に形成されており、このようにすることで、目皿部１０ａにて捕捉された毛髪やゴミなどを除去し易くなっている。
【００２０】
図４（ａ）に示されるように、軟質材１１は、周縁部１０ｂの外周縁を上下面及び側面に連続して被覆するように、周方向に亘って縦断面略コ字形のコ字形部１１ｂに形成された環状体であって、弾性変形可能なゴム材からなる。このようにすることで、軟質材１１を、周縁部１０ｂを上下面及び周側面から被覆するように周縁部１０ｂに嵌め込むことで、特段の接着手段を要さずに周縁部１０ｂに簡単に取付けることができ、周縁部１０ｂの上下面及び周側面のいずれかを排水口部３と当接させることで、周縁部１０ｂの当接面と段部上面３ａとを密封できる。
【００２１】
尚、本実施例の軟質材１１は、弾性変形可能なゴム材からなるが、周縁部１０ｂの当接面と排水口部３の内壁面との間になじんで自在に変形するものであれば、必ずしも弾性変形可能でなくてもよく、例えば、シリコン材などであってもよい。本実施例のように、軟質材１１を弾性変形可能なゴム材にすることで、ヘアキャッチャー１０を排水口部３から取外した際に、軟質材１１が弾性変形範囲内で形状復元するため、ヘアキャッチャー１０の排水口部３への取付け、取外しを繰り返し行うことができる。
【００２２】
また、図４（ａ）に示されるように、軟質材１１のコ字形部１１ｂ外側面には、コ字形部１１ｂよりも肉薄であって、外側方に向かって突出するヒレ部１１ｃが形成されている。また、図４（ｂ）に示されるように、ヒレ部１１ｃの外径は、段部上面３ａから周方向に亘って上方に立設される内周面３ｂの内径より若干大径に形成されている。
【００２３】
更に、図１、図３（ａ）及び図３（ｂ）に示されるように、ヘアキャッチャー１０の上方に、上蓋１２が、ヘアキャッチャー１０を被覆するように配置されており、このように配置された状態において、上蓋１２上面と床面１とは略面一に形成されている。また、上蓋１２周縁部の下面と、ヘアキャッチャー１０の周縁部１０ｂの上面とが当接している。尚、本実施例に限らず、上蓋１２の下面と周縁部１０ｂの上面とは近接していてもよい。
【００２４】
また、図２（ａ）、図２（ｂ）、図３（ａ）及び図３（ｂ）に示されるように、ヘアキャッチャー１０の周縁部１０ｂに設けられた軟質材１１上面の適所には、位置決め手段としての凸状部１１ａが形成されており、ヘアキャッチャー１０の下面周縁部における凸状部１１ａと対向する位置には、凸状部１１ａと凹凸嵌合により着脱可能に嵌合している位置決め手段としての凹状部１２ａが形成されている。
【００２５】
即ち、ヘアキャッチャー１０と上蓋１２とが、軟質材１１側において、位置決め手段としての凸状部１１ａと凹状部１２ａとにより嵌合されており、このようにすることで、上蓋１２とヘアキャッチャー１０とを容易に取外しでき、該取外した後にヘアキャッチャー１０の目皿部１０ａに捕捉された毛髪やゴミなどを洗浄等できるため、ヘアキャッチャー１０に特段の取っ手を設けることを要しないばかりか、周縁部１０ｂに設けられた軟質材１１側において位置決めされており、目皿部１０ａにおいて位置決め手段を設けることを要せず、目皿部１０ａの略全面を利用して排水できるため、排水効率を維持できる。
【００２６】
また、前述した凸状部１１ａと凹状部１２ａとからなる上蓋１２の位置決め手段により、上蓋１２の位置ずれが防止できるため、該位置ずれによる排水口部３における閉塞箇所の発生を防ぐことができ、また浴室内において床面１と略面一に形成された上蓋１２の上面を踏んだ際に上蓋１２の位置ずれが生じ、人が転倒することを防ぐことができる。
【００２７】
尚、前述した位置決め手段は、前述した凸状部１１ａと凹状部１２ａとの凹凸嵌合により位置決めされるものに限られず、例えば磁石等の磁力により位置決めされるものであってもよいし、ヘアキャッチャーと上蓋とが螺合されて位置決めされるものであってもよい。
【００２８】
次に、ヘアキャッチャー１０の排水口部３への取付けについて説明すると、ヘアキャッチャー１０及びヘアキャッチャー１０に連結された上蓋１２を、排水口部３の段部上面３ａに向けて下方に押圧することにより、軟質材１１のコ字形部１１ｂの下面が、段部上面３ａに当接するとともに、周縁部１０ｂの外側方に突出しているヒレ部１１ｃが、排水口部３の内周面３ｂの形状に即してなじんで変形しながら当接し、このようにすることで、軟質材１１による密封性がさらに高まる。
【００２９】
特に、軟質材１１のヒレ部１１ｃは、コ字形部１１ｂよりも肉薄のため、より軟性を有しており、前述したように、内周面３ｂの形状に即してなじんで変形し易い。
【００３０】
図４（ｂ）に示されるように、ヘアキャッチャー１０が段部上面３ａに配置された状態において、周縁部１０ｂの当接面としての下面側に設けられた軟質材１１のコ字形部１１ｂ下面が、排水口部３の内壁面としての段部上面３ａと当接して、周縁部１０ｂの下面と段部上面３ａとの間になじんで自在に変形するため、ヘアキャッチャー１０を排水口部３に螺挿することを要さず、周縁部１０ｂの下面と段部上面３ａとの間の密封性が容易に高まり、床面１を流れる排水が、周縁部１０ｂの下面と段部上面３ａとの間に生じるクリアランス（間隙）を通過することがほとんどなく、目皿部１０ａの排水孔を通過して流下するため、排水に含まれる毛髪やゴミなどが、確実に目皿部において捕捉される。
【００３１】
また、軟質材１１のヒレ部１１ｃの外径は、段部上面３ａから周方向に亘って上方に立設される内周面３ｂの内径より若干大径に形成されているため、ヘアキャッチャー１０が段部上面３ａに配置された状態において、ヒレ部１１ｃは、先端が周縁部１０ｂよりも若干上方に向かって上下方向に形成されており、ヒレ部１１ｃの上面がＲ面Ｒに形成され、ヒレ部１１ｃの下面が内周面３ｂに密接した状態となる。
【００３２】
このような状態で、排水口部３の内周面３ｂに沿って下方に流れ込む排水は、Ｒ面Ｒに形成されるヒレ部１１ｃの上面を伝って、目皿部１０ａの排水孔を通過するようになる。このようにすることで、排水に含まれる毛髪やゴミなどが、段部上面３ａの内周面３ｂ寄りに滞留することなく、排水が淀みなく排水管８側に流下する。
【００３３】
更に、ヘアキャッチャー１０の上方に配置されている上蓋１２の周縁部下面と、ヘアキャッチャー１０の周縁部１０ｂの上面とが当接しているため、排水の逆流などにより周縁部１０ｂが浮き上がることを防止でき、周縁部１０ｂに設けられた軟質材１１が、周縁部１０ｂの下面と段部上面３ａとの間の密封状態を維持できる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、排水口部３が形成される排水面として、浴室の床面１が示されているが、毛髪やゴミなどが含まれる排水が流下し、排水口部を被覆するヘアキャッチャーを要するような排水面であれば、排水面は浴室の床面１に限られず、例えば洗面台の洗面ボウル面でもよいし、洗濯機等が載置される防水パンの上面でもよい。
【００３６】
また、前記実施例では、ヘアキャッチャー１０は、排水口部３に形成された段部上面３ａに配置され、軟質材１１のコ字形部１１ｂ下面が段部上面３ａと当接し、ヒレ部１１ｃが段部上面３ａから上方に立設される内周面３ｂに当接しているが、軟質材１１の形状は、ヘアキャッチャー１０の周縁部１０ｂと排水口部３の内壁面との間隙を密封すれば、前記形状に限られず、例えば、ヒレ部１１ｃを有さずに、コ字形部１１ｂの下面若しくは外側面により、ヘアキャッチャー１０の周縁部１０ｂと排水口部３の内壁面との間隙を密封してもよい。更に、軟質材が、コ字形部１１ｂ及びヒレ部１１ｃを有しておらず、ヘアキャッチャー１０の周縁部１０ｂ下面のみに周方向に亘って設けられていてもよい。
【００３７】
また、前記実施例では、ヘアキャッチャーが配置される排水口部３周りの形状は、床面１よりも一段低い段部と、段部上面３ａから上方に立設される内周面３ｂとからなる形状であるが、排水口部３周りの形状は必ずしも前述した形状に限られず、例えば前述した段部が形成されておらず、略水平面に形成される排水面における排水口部の周縁を被覆するように、ヘアキャッチャーが設けられていてもよい。
【００３８】
また、前記実施例では、ヘアキャッチャー１０の目皿部１０ａは、複数の丸孔で構成しているが、排水に含まれる毛髪やゴミなどを捕捉するものであれば、上述した複数の丸孔に限らず、メッシュや複数のスリットで構成されていてもよい。
【図面の簡単な説明】
【００３９】
【図１】実施例におけるヘアキャッチャーを設置した排水口部周りを示す断面図である。
【図２】（ａ）は、ヘアキャッチャーを示した平面図であり、（ｂ）は、上蓋のＡ―Ａ断面図である。
【図３】（ａ）は、上蓋を示した平面図であり、（ｂ）は、上蓋を示した側面図である。
【図４】（ａ）は、図２（ｂ）の一点鎖線囲い部の拡大図であり、（ｂ）は、図１の一点鎖線囲い部の拡大図である。
【符号の説明】
【００４０】
１                床面
３                排水口部
３ａ              段部上面（内壁面）
３ｂ              内周面（内壁面）
６                排水トラップ
８                排水管
１０              ヘアキャッチャー
１０ａ            目皿部
１０ｂ            周縁部
１１              軟質材
１１ａ            凸状部（位置決め手段）
１１ｂ            コ字形部
１１ｃ            ヒレ部
１２              上蓋
１２ａ            凹状部（位置決め手段）
Ｒ                Ｒ面
【図１】
2007177542.tif 000003
【図２】
2007177542.tif 000004
【図３】
2007177542.tif 000005
【図４】
2007177542.tif 000006